(57)【要約】      （修正有）【課題】見た目に煩雑な印象を与える電子機器用のＡＣアダプターの外観に美観を付加すると共に、目に優しい照明機能を付加するＬＥＤを備えるＡＣアダプター用カバーを提供する。【解決手段】ＬＥＤ２を正面に備えるアダプター本体部を有するＡＣアダプター４に使用されるＡＣアダプター用カバー１であって、ＬＥＤ２から放射される光の一部を散乱させながら透過させる樹脂素材からなるカバー本体と、カバー本体の周面に形成されてなり、ＡＣアダプター４を装着する際にＡＣアダプター４を挿し入れることができる装着穴と、カバー本体の背面に形成されてなり、プラグ８を露出させるプラグ穴１４と、カバー本体の外表面が、少なくとも目部、耳部１８、鼻部、若しくは口部のいずれかを備えることで、動物、若しくはキャラクターを模した形状に成形されてなる。【選択図】図６
0003201200.tif 000002
【実用新案登録請求の範囲】
【請求項１】
ＬＥＤを正面に備えるアダプター本体部と、コンセントに接続するためのプラグを備えるＡＣアダプターに被せて使用するＬＥＤを備えるＡＣアダプター用カバーであって、
前記ＬＥＤを備えるＡＣアダプター用カバーは、
前記ＬＥＤから放射される光の一部を散乱させながら透過させる樹脂素材からなるカバー本体と、
前記カバー本体の周面に形成されてなり、前記ＡＣアダプターを装着する際に前記ＡＣアダプターを挿し入れることができる装着穴と、
前記カバー本体の背面に形成されてなり、前記プラグを露出させるプラグ穴と、
前記カバー本体の外表面が、少なくとも目部、耳部、鼻部、若しくは口部のいずれかを備えることで、動物、若しくはキャラクターを模した形状に成形されてなる
ことを特徴とするＬＥＤを備えるＡＣアダプター用カバー。
【考案の詳細な説明】
【技術分野】
【０００１】
本考案は、ＬＥＤを備えるＡＣアダプター用カバーに関する。
【背景技術】
【０００２】
従来、携帯型通信端末等の電子機器を充電するために、電子機器に接続した充電用コードを家庭用コンセントへ接続するための中継機器としてＡＣアダプターが用いられている。
【先行技術文献】
【特許文献】
【０００３】
【特許文献１】特開２０１３-１６２８８号公報
【考案の概要】
【考案が解決しようとする課題】
【０００４】
しかし、従来技術における電子機器への充電時間は数時間程度かかり、また、電子機器を毎日使うためには、毎日充電する必要があるため、ＡＣアダプターが家庭用コンセントの一つを占拠している時間は長時間に及んでいた。
【０００５】
また、ＡＣアダプターは内部に変圧器、整流器、安定化回路等の機能を備えるために、外殻となる本体部分にある程度の大きさを必要とし、家庭用コンセントに接続されている間は見た目に煩雑な印象を与えるものであった。
【課題を解決するための手段】
【０００６】
そこで、上記課題を解決するための手段として本考案に係るＬＥＤ（Ｌｉｇｈｔ  Ｅｍｉｔｔｉｎｇ  Ｄｉｏｄｅ）を備えるＡＣアダプター用カバーは、ＬＥＤを正面に備えるアダプター本体部と、コンセントに接続するためのプラグを備えるＡＣアダプター用カバーであって、前記ＬＥＤを備えるＡＣアダプター用カバーは、前記ＬＥＤから放射される光を散乱させながら透過させる樹脂素材からなるカバー本体と、前記カバー本体の周面に形成されてなり、前記ＡＣアダプターを装着する際に前記ＡＣアダプターを挿し入れることができる装着穴と、前記カバー本体の背面に形成されてなり、前記プラグを露出させるプラグ穴と、前記カバー本体の外表面が、少なくとも目部、耳部、鼻部、若しくは口部のいずれかを備えることで、動物、若しくはキャラクターを模した形状に成形されてなることを特徴とする。
【０００７】
また、ＡＣアダプターには、ＬＥＤの点灯消灯を手動で切り替えることができるスイッチが設けられても好ましい。このようなスイッチが設けられてなることによって、照明としての明かりが必要な時にだけＬＥＤを点灯させることができる。なお、前記スイッチと共にＬＥＤの輝度調整ダイヤルが備えられていることが好ましい。ＬＥＤの輝度調整ダイヤルが備わっていることによって、照明として必要な輝度を得ることができ、快適に使用することができるからである。
【０００８】
さらに、ＡＣアダプターには明暗センサー、振動センサー、及び赤外線センサーのうち１以上の機能が備えられてなり、各センサーが機能することによって自動的にＬＥＤが点灯する態様を備えていても好ましい。明暗センサーを備えることで、予め部屋のコンセントに取り付けられてなる本考案を装着したＡＣアダプターが、部屋が暗くなったことを感知して自動的にＬＥＤを点灯させることができ、暗い部屋の中でもＡＣアダプターの位置を容易に知ることができる。
【０００９】
また、ＡＣアダプターが振動センサー、若しくは赤外線センサーを備えることにより、枕元近くのコンセントに取り付けられてなる本考案を装着したＡＣアダプターが、使用者が近づいたことを感知して自動的にＬＥＤを点灯させることができ、枕元を自動で照らすことができる。
【００１０】
さらにまた、ＡＣアダプターが振動センサー、若しくは赤外線センサーを備えることにより、廊下のコンセントに取り付けられてなる本考案を装着したＡＣアダプターが、使用者が近づいたことを感知して自動的にＬＥＤを点灯させることができ、暗い廊下であっても足元を自動で照らすことができる。
【００１１】
なお、ＡＣアダプターの外表面には、ＡＣアダプターと電子機器とを接続させる接続コードを繋ぐためのジャックが設けられてなり、コンセントに取り付けた本考案を装着したＡＣアダプターと電子機器とを接続コードでつなぐことで、電子機器の充電を行うことができる。
【００１２】
また、ＡＣアダプターに設けられてなるプラグは、不使用時には本体部の内部に収納されてなると共に、コンセントに接続して使用する際には前記アダプター本体部の背面に対して垂直方向に突出させることができるものであってもよい。
【考案の効果】
【００１３】
本考案によれば、カバー本体が動物、若しくはキャラクターを模した形状に成形されてなることによって、ＡＣアダプターの外観に可愛らしさを備えた美観を有するものとすることができ、煩雑な印象を和らげる効果を有する。
【００１４】
また、本考案がＬＥＤを備えたＡＣアダプターを被覆して使用することによって、ＬＥＤからの光を散乱させながら透過させるため、柔らかな光による室内照明、デスクライト、枕元照明、若しくは廊下照明として使用することができる。
【図面の簡単な説明】
【００１５】
【図１】ＡＣアダプター用カバー１の外観を示す概略図であり、（ａ）はＡＣアダプター用カバー１の正面図、（ｂ）はＡＣアダプター用カバー１の右側面図、（ｃ）はＡＣアダプター用カバー１の底面図を示す。
【図２】ＡＣアダプター用カバー１の背面図である。
【図３】プラグ８を折り畳んだ状態のＡＣアダプター４を正面方向から見た概略斜視図である。
【図４】ＡＣアダプター４にＡＣアダプター用カバー１を装着させる様子を示す背面方向からの概略斜視図である。
【図５】ＡＣアダプター４にＡＣアダプター用カバー１を装着した状態を示す、背面方向からの概略斜視図である。
【図６】ＡＣアダプター４にＡＣアダプター用カバー１を装着した状態を示す、正面方向からの概略斜視図である。
【図７】ＡＣアダプター用カバー１を装着したＡＣアダプター４をコンセント６に挿し込んで使用している状態を示す図である。
【考案を実施するための形態】
【００１６】
以下、本考案に係る実施の形態を、図を参照しながら詳しく説明する。
【００１７】
図１及び図２に示す本考案に係るＬＥＤを備えるＡＣアダプター用カバー１（以下、ＡＣアダプター用カバー１という）は、図３に示すＬＥＤ２を正面３に備えるＡＣアダプター４のアダプター本体部５に被せて使用するものである。アダプター本体部５は、不使用時には本体部の内部に収納されてなると共に、コンセント６に接続して使用する際には前記アダプター本体部５の背面７に対して垂直方向に突出してなるプラグ８を備える。
【００１８】
前記ＡＣアダプター用カバー１を形成するカバー本体９は、樹脂素材からなる直方体に成形されてなるカバーであり、カバー本体９の内側は、ＡＣアダプター４を収容可能な中空部に成形されてなる。カバー本体９は、前記ＬＥＤ２から放射される光を散乱させながら透過させる樹脂素材からなる。前記樹脂素材の好適な例としては、シリコン、ポリカーボネート（ＰＣ）、若しくはＡＢＳ樹脂等が挙げられる。ＬＥＤ２からの光を、カバー本体９の正面部１０が散乱させながら透過させることによって柔らかな明かりを放射させる照明として機能させるため、カバー本体９の正面部１０の厚さは１ｍｍ〜５ｍｍであることが好ましい。
【００１９】
カバー本体９の底面１１には装着穴１２が形成されてなる。前記ＡＣアダプター４を装着する際には、図４に示すように装着穴１２から前記ＡＣアダプター４を挿し入れることによって、図５及び図６に示すようにＡＣアダプター４にカバー本体９を装着させることができる。
【００２０】
また、図２及び図５に示すように、前記カバー本体９の背面１３には、前記プラグ８を露出させるプラグ穴１４が形成される。本実施の形態において、プラグ８は、プラグ８の基端部を軸として、アダプター本体部５の底面１５に対して平行に回動させることによってアダプター本体部５の内側へ折り畳み可能に取り付けられてなる。また、ＡＣアダプター４を使用する際には、プラグ８を回動させて、アダプター本体部５の背面７に対して垂直方向に突出させることによって、図７に示すようにプラグ８をコンセント６へ挿し込むことができる。なお、本実施の形態においては、ＡＣアダプター４にカバー本体９を装着させた状態でもアダプター本体部５の背面７に貼付されてなる情報シール１６を視認可能とするため、カバー本体９の背面１３に情報窓部１７が設けられてなる。
【００２１】
カバー本体９の外表面には、図１に示すように耳部１８及び尻尾部１９が形成されてなり、犬の後ろ姿を模した形状に成形されてなる。このようにカバー本体９の外表面が動物を模した形状に成形されてなることによって、ＡＣアダプター４の外観に可愛らしさを備えた美観を有するものとすることができ、煩雑な印象を和らげる効果を有する。
【００２２】
ＡＣアダプター４にＡＣアダプター用カバー１を装着して、図７に示すようにプラグ８を壁Ｗのコンセント６へ挿し込むと、ＬＥＤ２が点灯し、照明として使用することができる。ＡＣアダプター用カバー１がＡＣアダプター４及びＬＥＤ２を被覆してなることによって、カバー本体９の正面部１０がＬＥＤ２からの光を散乱させながら透過させるため、柔らかな光で周囲を照らすことができる。従って、ＡＣアダプター４にＡＣアダプター用カバー１を装着すれば、目に優しい室内照明、デスクライト、枕元照明、若しくは廊下照明として使用することができる。
【００２３】
なお、ＡＣアダプター４の底面２０には、図５に示すようにＡＣアダプターと電子機器とを接続させる接続コードを繋ぐためのジャック２１が設けられてなり、コンセント６に取り付けたＡＣアダプター用カバー１を装着した状態のＡＣアダプター４と電子機器とを接続コードでつなぐことで、電子機器の充電を行うことができる。
【符号の説明】
【００２４】
１    ＡＣアダプター用カバー
２    ＬＥＤ
４    ＡＣアダプター
５    アダプター本体部
８    プラグ
９    カバー本体
１２  装着穴
１４  プラグ穴
１８  耳部
１９  尻尾部
【図１】
0003201200.tif 000003
【図２】
0003201200.tif 000004
【図３】
0003201200.tif 000005
【図４】
0003201200.tif 000006
【図５】
0003201200.tif 000007
【図６】
0003201200.tif 000008
【図７】
0003201200.tif 000009